(57)【要約】【課題】使用者の利便性を向上することができるとともに、特に長身の使用者の足先が狭く感じることがない身体支持装置を提供する。【解決手段】使用者を支持する支持台１１と、支持台１１を支持する架台１２と、架台１２に支持され、支持台１１に支持された使用者の足先を支持するフットレスト１４と、を備え、支持台１１が、使用者の脚部を支持するレッグレスト２３を備え、フットレスト１４が、左右方向に延びる回動軸回りに、最上端位置と最下端位置との間で回動可能に支持され、最下端位置に位置するフットレスト１４は、レッグレスト２３の上面以下に位置する。【選択図】図１５
2018130316.tif 000002
【特許請求の範囲】
【請求項１】
使用者を支持する支持台と、
前記支持台を支持する架台と、
前記架台に支持され、前記支持台に支持された使用者の足先を支持するフットレストと、を備え、
前記支持台が、使用者の脚部を支持するレッグレストを備え、
前記フットレストが、左右方向に延びる回動軸回りに、最上端位置と最下端位置との間で回動可能に支持され、
前記最下端位置に位置する前記フットレストは、前記レッグレストの上面以下に位置することを特徴とする身体支持装置。
【請求項２】
前記最上端位置に位置する前記フットレストは、前記レッグレストの前端部よりも前側に位置することを特徴とする請求項１に記載の身体支持装置。
【請求項３】
前記最下端位置に位置する前記フットレストは、前記レッグレストの前端部と前後方向に隙間をあけて対向していることを特徴とする請求項１又は２に記載の身体支持装置。
【請求項４】
前記架台が、前記支持台の形態を変更可能であることを特徴とする請求項１から３のいずれか１項に記載の身体支持装置。
【請求項５】
前記架台が、前記支持台の形態を、座位姿勢の使用者を支持するチェアポジションと、仰臥位姿勢の使用者を支持するベッドポジションと、の間で変更可能であることを特徴とする請求項４に記載の身体支持装置。
【発明の詳細な説明】
【技術分野】
【０００１】
本発明は、身体支持装置に関する。
【背景技術】
【０００２】
従来から、下記特許文献１に示すような、使用者を支持する支持台と、支持台を支持する架台と、架台に支持されて、支持台に支持された使用者の足先を支持するフットレストと、を備えた身体支持装置が知られている。
この身体支持装置では、フットレストの姿勢が、支持台のチェアポジションとベッドポジションとの変更に合わせて、収容状態と使用状態とに変更される。
【先行技術文献】
【特許文献】
【０００３】
【特許文献１】特開２０００−１４７２３号公報
【発明の概要】
【発明が解決しようとする課題】
【０００４】
しかしながら、前記従来の身体支持装置では、フットレストの姿勢が、支持台の形態に合わせて収容状態か使用状態に定められていて、使い勝手が悪かった。例えば使用者が長身である場合等には、支持台がチェアポジションに位置するときに、フットレストが収容状態であることにより、足先が狭く感じることがあった。
【０００５】
本発明は、前述した事情に鑑みてなされたものであって、使用者の利便性を向上することができるとともに、特に長身の使用者の足先が狭く感じることがない身体支持装置を提供することを目的とする。
【課題を解決するための手段】
【０００６】
前記課題を解決するために、本発明は以下の手段を提案している。
（１）本発明に係る身体支持装置は、使用者を支持する支持台と、前記支持台を支持する架台と、前記架台に支持され、前記支持台に支持された使用者の足先を支持するフットレストと、を備え、前記支持台が、使用者の脚部を支持するレッグレストを備え、前記フットレストが、左右方向に延びる回動軸回りに、最上端位置と最下端位置との間で回動可能に支持され、前記最下端位置に位置する前記フットレストは、前記レッグレストの上面以下に位置することを特徴とする。
なお、レッグレストの上面以下とは、レッグレストの上面からの延長線よりも、レッグレストの厚さ方向に沿って下側であることを意味する。
【０００７】
本発明によれば、フットレストが、最上端位置と最下端位置との間で回動可能に支持台に支持されているので、フットレストの位置をレッグレストに対して任意に調整することができる。これにより、使用者の利便性を向上することができる。また、フットレストが最下端位置に位置した際に、フットレストが、レッグレストの厚さ方向に沿ってレッグレストの上面以下に位置するため、仮に使用者の脚が長い場合であっても、レッグレストの上面からフットレストの上方に向けて脚を伸ばすことが可能になり、足先が狭く感じるのを防ぐことができる。
【０００８】
（２）上記（１）に係る身体支持装置では、前記最上端位置に位置する前記フットレストは、前記レッグレストの前端部よりも前側に位置する構成を採用してもよい。
この場合、最上端位置でフットレストが、レッグレストの前端部よりも前側に位置するので、足先が狭く感じるのを防ぐことができるとともに、例えば足裏をフットレストに押し付けることでふくらはぎを伸ばす等の足先のケアにフットレストを用いることができる。
【０００９】
（３）上記（１）又は（２）に係る身体支持装置では、前記最下端位置に位置する前記フットレストは、前記レッグレストの前端部と前後方向に隙間をあけて対向している構成を採用してもよい。
【００１０】
この場合、最下端位置でフットレストが、レッグレストの前端部と前後方向に隙間をあけて対向しているので、例えば前記隙間に踵を入れながら足裏をフットレストに載置すること等により、フットレストがレッグレストの上面以下に位置していても、フットレストに足先を支持させることができる。
【００１１】
（４）上記（１）から（３）のいずれか１つに係る身体支持装置では、前記架台が、前記支持台の形態を変更可能である構成を採用してもよい。
（５）上記（４）に係る身体支持装置では、前記架台が、前記支持台の形態を、座位姿勢の使用者を支持するチェアポジションと、仰臥位姿勢の使用者を支持するベッドポジションと、の間で変更可能である構成を採用してもよい。
【発明の効果】
【００１２】
本発明によれば、使用者の利便性を向上することができるとともに、特に長身の使用者の足先が狭く感じることがない。
【図面の簡単な説明】
【００１３】
【図１】本発明の一実施形態に係る身体支持装置であって、支持台がチェアポジションである状態を示す斜視図である。
【図２】図１に示す身体支持装置であって、カバーが架台から取り外されている状態を示す斜視図である。
【図３】図２に示す身体支持装置の側面図である。
【図４】図２に示す身体支持装置の上面図である。
【図５】図２に示す身体支持装置であって、支持台がベッドポジションである状態を示す斜視図である。
【図６】図５に示す身体支持装置の側面図である。
【図７】図５に示す身体支持装置の上面図である。
【図８】図１に示す身体支持装置の機能を説明する側面図であって、背もたれの昇降を説明する図である。
【図９】図１に示す身体支持装置の機能を説明する側面図であって、レッグレストの昇降を説明する図である。
【図１０】図１に示す身体支持装置の機能を説明する側面図であって、支持台の昇降を説明する図である。
【図１１】図１に示す身体支持装置の機能を説明する側面図であって、支持台のチェアポジションからベッドポジションおよびショックポジションへの変更を説明する図である。
【図１２】図１に示す身体支持装置の機能を説明する側面図であって、支持台のショックポジションからチェアポジションへの変更を説明する図である。
【図１３】図１に示す身体支持装置の機能を説明する側面図であって、支持台のチェアポジションから膝伸ばしポジションへの変更を説明する図である。
【図１４】図３に示す身体支持装置のフットレスト周辺の拡大図である。
【図１５】（ａ）図１に示す身体支持装置のチェアポジションにおけるフットレストの回動位置を示す図、（ｂ）比較例である身体支持装置のチェアポジションにおけるフットレストの回動位置を示す図である。
【図１６】（ａ）図１に示す身体支持装置の膝伸ばしポジションにおけるフットレストの回動位置を示す図、（ｂ）比較例である身体支持装置の膝伸ばしポジションにおけるフットレストの回動位置を示す図である。
【図１７】図１６（ａ）におけるフットレスト周辺の拡大図である。
【発明を実施するための形態】
【００１４】
以下、図１から図１７を参照し、本発明の一実施形態に係る身体支持装置を説明する。
身体支持装置１０は、例えば医療用チェアとして利用される。身体支持装置１０は、例えば使用者が透析を受ける際に利用することができる。身体支持装置１０は、電力に基づいて起伏調節可能であり、いわゆるリクライニング機能を具備している。
【００１５】
なお以下では、身体支持装置１０が座位姿勢の使用者を支持した状態における使用者の前後方向および左右方向をそれぞれ、身体支持装置１０の前後方向Ｘおよび左右方向Ｙとする。また、身体支持装置１０が座位姿勢の使用者を支持した状態における使用者の前側および後側をそれぞれ、前後方向Ｘに沿う前側Ｘ１および後側Ｘ２という。前側Ｘ１および後側Ｘ２はそれぞれ、身体支持装置１０が仰臥位姿勢の使用者を支持した状態における使用者の足側および頭側となる。
【００１６】
図１から図７に示すように、身体支持装置１０は、支持台１１と、架台１２と、アームレスト１３と、フットレスト１４と、駆動部（不図示）と、を備えている。なお支持台１１、アームレスト１３およびフットレスト１４は、外表面を形成する外皮部１５と、外皮部１５の内側に配置されたクッション材（不図示）と、をそれぞれ備えている。前記クッション材は、変形することで外力を吸収する。また図１に示すように、架台１２の一部は、カバーＣによって覆われているが、図２から図７では、架台１２の内部構造の示すため、カバーＣの図示を省略している。
【００１７】
支持台１１は、使用者（使用者の胴体）を支持する。支持台１１は、座面部２１と、背もたれ２２と、レッグレスト２３と、を備えている。座面部２１は、使用者の臀部を支持する。背もたれ２２は、使用者の上半身を支持する。背もたれ２２には、使用者の頭部を支持する枕２４が取り付けられている。レッグレスト２３は、使用者の脚部を支持する。
【００１８】
架台１２は、支持台１１、アームレスト１３およびフットレスト１４を支持する。架台１２は、支持台１１の形態を変更可能である。架台１２は、支持台１１の形態を、図１から図４に示すようなチェアポジションＰ１と、図５から図７に示すようなベッドポジションＰ２（フラットポジション）と、の間で変更可能である。
【００１９】
図１から図４に示すように、チェアポジションＰ１の支持台１１は、座位姿勢の使用者を支持する。チェアポジションＰ１では、座面部２１が上方を向いている。また背もたれ２２が、座面部２１の後側Ｘ２の端部から上側に向けて延びている。さらにレッグレスト２３が、座面部２１の前側Ｘ１の端部から前側Ｘ１の斜め下側に向けて延びている。
【００２０】
図５から図７に示すように、ベッドポジションＰ２の支持台１１は、仰臥位姿勢の使用者を支持する。ベッドポジションＰ２では、支持台１１の全体（背もたれ２２、座面部２１およびレッグレスト２３）が、前後方向Ｘに沿って一直線状に延び、水平方向に実質的に平行になっている。
【００２１】
なお架台１２は、支持台１１の形態を、チェアポジションＰ１とベッドポジションＰ２との間で連続的に変更可能であってもよく、間欠的に変更可能であってもよい。
支持台１１の形態が、チェアポジションＰ１とベッドポジションＰ２との間で連続的に変更可能であることは、支持台１１の形態を、チェアポジションＰ１やベッドポジションＰ２のみならず、チェアポジションＰ１やベッドポジションＰ２の間の任意の中間ポジションで保持可能であることを意味する。
支持台１１の形態が、チェアポジションＰ１とベッドポジションＰ２との間で間欠的に変更可能であることは、支持台１１の形態を、チェアポジションＰ１およびベッドポジションＰ２のみで、または、支持台１１の形態を、チェアポジションＰ１およびベッドポジションＰ２に加えて、チェアポジションＰ１やベッドポジションＰ２の間の特定の（例えば数点の）中間ポジションで保持可能であることを意味する。
【００２２】
図１から図４に示すように、アームレスト１３は、支持台１１に支持された使用者の腕（肘から先の前腕）を支持する。アームレスト１３は、支持台１１の左右方向Ｙの両端部にそれぞれ設けられている。アームレスト１３は、支持台１１がチェアポジションＰ１である状態で、背もたれ２２から前側Ｘ１に向けて水平に延びている。
【００２３】
アームレスト１３は、架台１２に、第１リンク機構２５を介して連結されている。第１リンク機構２５は、前後方向Ｘに延びる支持リンク部２５ａを備えている。図４に２点鎖線で示すように、アームレスト１３は、支持リンク部２５ａに左右方向Ｙに移動可能に固定されている。
【００２４】
図３に２点鎖線で示すように、第１リンク機構２５は、アームレスト１３を、左右方向Ｙに延びる第１軸回りに回転可能に支持する。アームレスト１３は、前記第１軸回りに上側に向けて回転させられることで、上側斜め後側Ｘ２に向けて移動する。これにより、使用者が外部から支持台１１に接近するときや支持台１１から降りるときに、アームレスト１３が使用者の邪魔になることが抑えられる。
【００２５】
フットレスト１４は、支持台１１に支持された使用者の足先を支持する。フットレスト１４は、支持台１１よりも前側Ｘ１に設けられている。フットレスト１４は、架台１２に、第２リンク機構２６を介して連結されている。図３に２点鎖線で示すように、第２リンク機構２６は、フットレスト１４を、左右方向Ｙに延びる第２軸（回動軸）Ｓ１回りに回転可能に支持する。
【００２６】
なお架台１２は、支持台１１の形態（位置）をチェアポジションＰ１とベッドポジションＰ２との間で変更するときに、第１リンク機構２５および第２リンク機構２６それぞれを介してアームレスト１３およびフットレスト１４を移動させる。アームレスト１３およびフットレスト１４は、支持台１１の前記変更（チェアポジションＰ１とベッドポジションＰ２との間での形態の変更）に追従して変位する。図５から図７に示すように、支持台１１がベッドポジションＰ２である状態で、アームレスト１３は、座面部２１に対して左右方向Ｙに並んだ状態で前後方向Ｘに沿って水平に延びている。またフットレスト１４は、支持台１１よりも上方に突出している。
【００２７】
前記駆動部は、架台１２の内部に配置（架台１２に内蔵）されている。前記駆動部は、操作部（不図示）からの入力に基づいて、架台１２を介して支持台１１の形態を変更させる。前記駆動部は、支持台１１の形態を図８から図１２に示すように変更することができる。
【００２８】
図８に示すように、前記駆動部は、チェアポジションＰ１の支持台１１における背もたれ２２を昇降可能である。これにより、背もたれ２２の傾斜角度が変更される。
図９に示すように、前記駆動部は、チェアポジションＰ１の支持台１１におけるレッグレスト２３を昇降可能である。これにより、レッグレスト２３の傾斜角度が変更される。
【００２９】
図１０に示すように、前記駆動部は、支持台１１の全体を昇降可能である。なお図１０では、チェアポジションＰ１の支持台１１を昇降させているが、ベッドポジションＰ２の支持台１１を昇降させることもできる。
図１１に示すように、前記駆動部は、チェアポジションＰ１の支持台１１の座面部２１、背もたれ２２およびレッグレスト２３を連動して移動させ、ベッドポジションＰ２の支持台１１に変更可能である。なお、ベッドポジションＰ２の支持台１１をさらに、支持台１１が前後方向Ｘの後側Ｘ２斜め下側に向けて傾斜するショックポジションＰ３に変更することもできる。
【００３０】
図１２に示すように、前記駆動部は、ショックポジションＰ３の支持台１１の座面部２１、背もたれ２２およびレッグレスト２３を連動して移動させ、チェアポジションＰ１の支持台１１に変更可能である。本実施形態では、架台１２が、支持台１１の形態を、チェアポジションＰ１とベッドポジションＰ２との間だけでなく、チェアポジションＰ１とショックポジションＰ３との間で変更可能である。
図１３に示すように、前記駆動部は、チェアポジションＰ１の支持台１１のレッグレスト２３を移動させ、レッグレスト２３を前後方向Ｘに延ばすことで、膝伸ばしポジションＰ４（セミフラットポジション）の支持台１１に変更可能である。膝伸ばしポジションＰ４では、背もたれ２２が上下方向Ｚに延び、座面部２１およびレッグレスト２３が前後方向Ｘに一直線に連なって延びている。
【００３１】
そして本実施形態では、図１５（ａ）および図１６（ａ）に示すように、フットレスト１４は、第２軸Ｓ１回りに最上端位置と最下端位置との間で回動可能に支持されている。
フットレスト１４は、連結バー１４ａを介して第２リンク機構２６に連結されている。フットレスト１４は、左右方向Ｙから見た側面視において矩形状を呈している。フットレスト１４の上端部には、後側Ｘ２に向けて曲線状に突出した張出部が形成されている。連結バー１４ａは、フットレスト１４の左右方向Ｙの両端部に各別に接続されている。
【００３２】
図１４に示すように、第２リンク機構２６は、架台１２に挿通された第２軸Ｓ１と、第２軸Ｓ１と連結され、第２軸Ｓ１回りに回動自在とされた回動部材２７と、を備えている。第２軸Ｓ１は、レッグレスト２３の下方に配置され、回動部材２７の上部に連結されている。回動部材２７は、左右方向Ｙに延びる長尺状に形成されている。回動部材２７には、下方に向けて突出する連結片２７ａが形成されている。連結片２７ａは、回動部材２７の左右方向Ｙにおける中央部に形成されている。
【００３３】
回動部材２７のうち、左右方向Ｙの外側を向く両側面には、前記連結バー１４ａが各別に連結されている。連結バー１４ａは、回動部材２７とフットレスト１４とを連結する。前記側面視において、連結バー１４ａは、第２軸Ｓ１との連結部分と、連結片２７ａと、の間に配置されている。前記側面視において、連結バー１４ａは鈍角状に湾曲した曲線状を呈している。なお、連結バー１４ａは鋭角状に湾曲してもよい。
【００３４】
連結片２７ａには、回動部材２７を第２軸Ｓ１回りに回動させる伸縮機構２８の一端部が、回動自在に連結されている。伸縮機構２８の他端部は、架台１２に連結されている。
伸縮機構２８が伸縮することで、連結片２７ａを介して回動部材２７に伸縮力が伝わり、回動部材２７が第２軸Ｓ１回りに回動する。これにより、回動部材２７に連結された連結バー１４ａが第２軸Ｓ１回りに回動することで、フットレスト１４が第２軸Ｓ１回りに最上端位置と最下端位置との間で回動する。
【００３５】
最下端位置に位置するフットレスト１４は、レッグレスト２３の厚さ方向Ｔに沿ってレッグレスト２３の上面以下に位置している。すなわち、フットレスト１４の全部又は大部分が、厚さ方向Ｔに沿ってレッグレスト２３の上面よりも下側に位置していて、身体支持装置１０上の使用者が、脚を伸ばした時に、その使用者がレッグレスト２３およびフットレスト１４の両方に脚を載せることができる。
図１５（a）に示すように、チェアポジションＰ１の支持台１１においては、レッグレスト２３の上面は傾斜した状態となっている。最下端位置に位置するフットレスト１４は、少なくとも一部がレッグレスト２３の上面よりも、レッグレスト２３の厚さ方向Ｔに沿って下側に位置している。
図示の例では、フットレスト１４のうち、厚さ方向Ｔに沿う寸法における半分以上がレッグレスト２３の下側に位置している。すなわち、フットレスト１４の厚さ方向Ｔの中央部Ｍ１が、レッグレスト２３の上面からの延長線Ｌ１よりも、レッグレスト２３の厚さ方向Ｔに沿って下側に位置している。
【００３６】
ここで、フットレスト１４の厚さ方向Ｔの中央部Ｍ１は、フットレスト１４において、厚さ方向Ｔに沿う両端の中央に位置する部分であり、延長線Ｌ１は、前記側面視におけるレッグレスト２３の上面を前側Ｘ１に延長した直線である。
フットレスト１４は、使用者の足先等を支持することで、前記クッション材が変形し、このように変形した部分が、厚さ方向Ｔに沿ってレッグレスト２３の上面の下方に位置することが望ましい。
なお、フットレスト１４の全部が、レッグレスト２３の上面よりも、レッグレスト２３の厚さ方向Ｔに沿って下側に位置してもよい。
【００３７】
フットレスト１４は、支持台１１が、チェアポジションＰ１および膝伸ばしポジションＰ４のうちのいずれの姿勢であるかに関わらず、レッグレスト２３と相対的に同等の位置関係となっている。
具体的には、図１６（ａ）に示すように、膝伸ばしポジションＰ４の支持台１１においては、厚さ方向Ｔが上下方向Ｚに沿って延びており、レッグレスト２３の上面は前後方向Ｘに沿って延びている。最下端位置に位置するフットレスト１４は、少なくとも一部がレッグレスト２３の上面よりも、レッグレスト２３の下側に位置している。
図示の例ではフットレスト１４の上下方向Ｚの中央部Ｍ２が、レッグレスト２３の上面からの延長線Ｌ１よりも、レッグレスト２３の下側に位置している。
なお、フットレスト１４の全部が、レッグレスト２３の上面よりも下側に位置してもよい。
【００３８】
ここで、本実施形態の身体支持装置１０の作用、効果について説明するため、図１５（ｂ）および図１６（ｂ）に示すように、比較例の身体支持装置１０Ｂを説明する。この身体支持装置１０Ｂにおいては、最下端位置に位置するフットレスト１４Ｂは、レッグレスト２３の上面よりも上側に位置している。
フットレスト１４Ｂのうち、厚さ方向Ｔに沿う寸法における半分以上がレッグレスト２３の上側に位置している。
図示の例では、図１５（ｂ）に示すチェアポジションＰ１において、フットレスト１４Ｂの厚さ方向Ｔの中央部Ｎ１が、レッグレスト２３の上面よりも上側に位置している。また、図１６（ｂ）に示す膝伸ばしポジションＰ４において、フットレスト１４Ｂの上下方向Ｚの中央部Ｎ２が、レッグレスト２３の上面よりも上側に位置している。
【００３９】
このため、使用者が長身であるような場合には、フットレスト１４Ｂを最下端位置まで回動させたとしても、使用者が脚をレッグレスト２３の上面から浮かせた状態で、足先がフットレスト１４Ｂに当たり、狭く感じることとなる。
一方、本実施形態に係る身体支持装置１０では、フットレスト１４が、レッグレスト２３の上面よりも上方に位置していないか、フットレスト１４の一部のみが、レッグレスト２３の上面よりも、レッグレスト２３の厚さ方向Ｔに沿って上側に位置している。したがって、使用者の足先がフットレスト１４を上方から覆うように、レッグレスト２３の上面からフットレスト１４の上方に向けて、使用者が脚を伸ばすことができる。
【００４０】
また本実施形態では、図１５（ａ）および図１６（ａ）に示すように、最下端位置に位置するフットレスト１４は、レッグレスト２３の前端部と前後方向Ｘに隙間をあけて対向している。チェアポジションＰ１および膝伸ばしポジションＰ４における最下端位置に位置するフットレスト１４は、レッグレスト２３の前端部と前後方向Ｘに隙間をあけて対向している。
【００４１】
図１７に示すように、フットレスト１４が最下端位置に位置している状態において、フットレスト１４とレッグレスト２３との間の前後方向Ｘの隙間は、フットレスト１４のレッグレスト２３の上面からの厚さ方向Ｔに沿う突出量よりも大きくなっている。
すなわち、レッグレスト２３の前端部からフットレスト１４までの前後方向Ｘの寸法Ａが、レッグレスト２３の上面からフットレスト１４の上端までの厚さ方向Ｔに沿う寸法Ｂよりも大きくなっている。言い換えれば、レッグレスト２３の上面の延長線Ｌ１におけるレッグレスト２３の前端部からフットレスト１４までの寸法Ａが、延長線Ｌ１からフットレスト１４の上端までの厚さ方向Ｔに沿う寸法Ｂよりも大きくなっている。
【００４２】
また本実施形態では、図１５（ａ）および図１６（ａ）に示すように、最上端位置に位置するフットレスト１４は、レッグレスト２３の前端部よりも前側Ｘ１に位置している。図示の例では、図１５（a）に２点鎖線で示すように、チェアポジションＰ１の支持台１１において、最上端位置に位置するフットレスト１４の全体が、レッグレスト２３の上面における前端部から鉛直方向Ｚに平行に伸ばした鉛直線Ｌ２よりも前側Ｘ１に位置している。なお、フットレスト１４のうちの一部が、レッグレスト２３における鉛直線Ｌ２よりも後側Ｘ２に位置してもよい。なお、フットレスト１４のうちの一部が、レッグレスト２３における鉛直線Ｌ２よりも後側Ｘ２に位置してもよい。
【００４３】
また、図１６（ａ）に２点鎖線で示すように、膝伸ばしポジションＰ４の支持台１１において、最上端位置に位置するフットレスト１４のうち、前後方向Ｘに沿う寸法における半分以上が鉛直線Ｌ２の前側Ｘ１に位置している。フットレスト１４の前後方向Ｘの中央部Ｍ３が、レッグレスト２３における鉛直線Ｌ２よりも前側Ｘ１に位置し、フットレスト１４の後端部は、レッグレスト２３における鉛直線Ｌ２よりも後側Ｘ２に位置している。なお、フットレスト１４の全体が、鉛直線Ｌ２よりも前側Ｘ１に位置してもよい。
【００４４】
以上説明したように、本実施形態に係る身体支持装置１０によれば、フットレスト１４が、最上端位置と最下端位置との間で回動可能に支持台１１に支持されているので、フットレスト１４の位置をレッグレスト２３に対して任意に調整することができる。これにより、使用者の利便性を向上することができる。また、フットレスト１４が最下端位置に位置した際に、フットレスト１４が、レッグレスト２３の厚さ方向Ｔに沿ってレッグレスト２３の上面以下に位置するため、仮に使用者の脚が長い場合であっても、レッグレスト２３の上面からフットレスト１４の上方に向けて脚を伸ばすことが可能になり、足先が狭く感じるのを防ぐことができる。
【００４５】
また、最上端位置に位置するフットレスト１４が、レッグレスト２３よりも前側Ｘ１に位置しているので、足先が狭く感じるのを防ぐことができるとともに、例えば足裏をフットレスト１４に押し付けることでふくらはぎを伸ばす等の足先のケアにフットレスト１４を用いることができる。
【００４６】
また、最下端位置に位置するフットレスト１４が、レッグレスト２３の前端部と前後方向Ｘに隙間をあけて対向しているので、例えば前記隙間に踵を入れながら足裏をフットレスト１４に載置すること等により、フットレスト１４がレッグレスト２３の上面以下に位置していても、フットレスト１４に足先を支持させることができる。
【００４７】
なお、本発明の技術的範囲は前記実施形態に限定されるものではなく、本発明の趣旨を逸脱しない範囲において種々の変更を加えることが可能である。
例えば、上記実施形態においては、最上端位置に位置するフットレスト１４が、レッグレスト２３よりも前側Ｘ１に位置する構成を示したが、このような態様に限られない。最上端位置に位置するフットレスト１４の全体が、レッグレスト２３よりも後側Ｘ２に位置してもよい。
【００４８】
また、上記実施形態においては、最下端位置に位置するフットレスト１４が、レッグレスト２３の前端部と前後方向Ｘに隙間をあけて対向している構成を示したが、このような態様に限られない。最下端位置に位置するフットレスト１４が、レッグレスト２３の前端部と前後方向Ｘに隙間をあけることなく当接してもよい。
【００４９】
また、上記実施形態においては、身体支持装置１０がアームレスト１３を備えた構成を示したが、このような態様に限られない。身体支持装置は、アームレスト１３を備えなくてもよい。
【００５０】
架台１２が、支持台１１の形態を変更可能でなくてもよい。
【００５１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５２】
１０  身体支持装置
１１  支持台
１２  架台
１４  フットレスト
２３  レッグレスト
Ｐ１  チェアポジション
Ｐ２  ベッドポジション
Ｘ  前後方向
Ｘ１  前側
Ｘ２  後側
Ｙ  左右方向
【図１】
2018130316.tif 000003
【図２】
2018130316.tif 000004
【図３】
2018130316.tif 000005
【図４】
2018130316.tif 000006
【図５】
2018130316.tif 000007
【図６】
2018130316.tif 000008
【図７】
2018130316.tif 000009
【図８】
2018130316.tif 000010
【図９】
2018130316.tif 000011
【図１０】
2018130316.tif 000012
【図１１】
2018130316.tif 000013
【図１２】
2018130316.tif 000014
【図１３】
2018130316.tif 000015
【図１４】
2018130316.tif 000016
【図１５】
2018130316.tif 000017
【図１６】
2018130316.tif 000018
【図１７】
2018130316.tif 000019